(57)【特許請求の範囲】
【請求項１】
車両（１）に搭載される車両用表示装置であって、
情報表示画像（Ｉｉ）を含む画像を実像表示する表示面部（３２）を有する画像表示パネル（３０）と、
前記表示面部の縁部に沿って配置され、前記表示面部と接触して境界部（８２）を形成し、前記表示面部のうち反射対象領域（Ａｒｖ）からの光を反射することで、前記表示面部外に、前記反射対象領域の前記画像を反転した反転像（Ｉｒｖ）を虚像表示する反射部（８０）と、を備え、
前記画像のうち前記情報表示画像は、前記表示面部のうち前記反射対象領域外に実像表示され、
前記情報表示画像は、地図（Ｉｉ３）を含み、
前記反射対象領域内には、前記地図をぼかし処理することで作成されたぼかし画像（Ｉｂ４）が表示されることを特徴とする車両用表示装置。
【請求項２】
視認側に露出する曲面状に形成され、前記画像を透過させる露出透光板（４０）を備え、
前記反射部は、前記画像表示パネルと前記露出透光板との間において配置されることを特徴とする請求項１に記載の車両用表示装置。
【請求項３】
前記情報表示画像は、前記車両又は前記画像表示パネルの操作に供される操作用画像（Ｉｉ１）を含むことを特徴とする請求項１又は２に記載の車両用表示装置。
【請求項４】
前記操作用画像に対するタッチ操作を検出するタッチ検出部（５０）を備えることを特徴とする請求項３に記載の車両用表示装置。
【請求項５】
前記情報表示画像は、文字（Ｉｉ２）を含むことを特徴とする請求項１から４のいずれか１項に記載の車両用表示装置。
【請求項６】
前記表示面部のうち前記反射対象領域と隣接する箇所には、前記反射対象領域に近づく程、前記ぼかし画像におけるぼかし度に近づくように、ぼかし度が増大する補間画像（Ｉｉｐ）が表示されることを特徴とする請求項１から５のいずれか１項に記載の車両用表示装置。
【発明の詳細な説明】
【技術分野】
【０００１】
本発明は、車両に搭載される車両用表示装置に関する。
【背景技術】
【０００２】
従来、車両に搭載される車両用表示装置が知られている。特許文献１の開示の車両用表示装置は、画像を実像表示する表示面部を有する画像表示パネルと、表示面部の縁部に沿って配置され、表示面部からの光を反射する反射部と、を備えている。
【０００３】
ここで、反射部は、表示面部からの光を、運転席側のアイレンジの外側に反射するようになっている。すなわち、反射部に反射された光は、運転席側のアイレンジ内から視認することができないようになっている。
【先行技術文献】
【特許文献】
【０００４】
【特許文献１】特許第４５０４９３４号公報
【発明の概要】
【発明が解決しようとする課題】
【０００５】
特許文献１では、反射部に反射された光を見せないようにしているが、これとは逆に、本発明者は、反射部に反射された光を、車両用表示装置の見栄えの向上に利用することを着想した。例えば、反射部により、表示面部のうち反射対象領域の画像が反転されて、表示面部外に虚像表示させることで、表示面部があたかも拡がったように見せることができる。
【０００６】
しかしながら、反射部により、画像を反転させて虚像表示させる構成において、反転した虚像（以下、反転像という）に情報を表示する情報表示画像が映り込んだ場合、視認者が当該反転像に惑わされてしまう。この結果、表示内容の視認性が悪化し、情報がすぐに理解できないこと、又は誤認されることが懸念される。
【０００７】
本発明は、以上説明した問題に鑑みてなされたものであって、その目的は、表示内容の視認性が良好な車両用表示装置を提供することにある。
【課題を解決するための手段】
【０００８】
本発明は、車両（１）に搭載される車両用表示装置であって、
情報表示画像（Ｉｉ）を含む画像を実像表示する表示面部（３２）を有する画像表示パネル（３０）と、
表示面部の縁部に沿って配置され、表示面部と接触して境界部（８２）を形成し、表示面部のうち反射対象領域（Ａｒｖ）からの光を反射することで、表示面部外に、反射対象領域の画像を反転した反転像（Ｉｒｖ）を虚像表示する反射部（８０）と、を備え、
画像のうち情報表示画像は、表示面部のうち反射対象領域外に実像表示され、
情報表示画像は、地図（Ｉｉ３）を含み、
反射対象領域内には、地図をぼかし処理することで作成されたぼかし画像（Ｉｂ４）が表示されることを特徴とする。
【０００９】
このような発明によると、車両に搭載される車両用表示装置において、画像表示パネルの表示面部は、画像を実像表示する。さらに、反射部が表示面部の縁部に配置されている。この反射部が表示面部のうち反射対象領域からの光を反射する。これにより、反転像が表示面部外に虚像表示されるので、表示に拡がり感を出すことができる。
【００１０】
ここで、画像のうち情報表示画像は、表示面部のうち反射対象領域外に表示されるので、反射部が反射対象領域からの光を反射しても、当該情報表示画像の反転像への映り込みは抑制される。したがって、視認者が当該反転像に惑わされることが回避されることで、表示内容の視認性が良好となり、情報が正確に理解され易くなる。
【００１１】
なお、括弧内の符号は、記載内容の理解を容易にすべく、後述する実施形態において対応する構成を例示するものに留まり、発明の内容を限定することを意図したものではない。
【図面の簡単な説明】
【００１２】
【図１】一実施形態における車両用表示装置の車両への搭載状態を示す模式図である。
【図２】一実施形態における車両用表示装置の斜視図である。
【図３】一実施形態における車両用表示装置の分解斜視図である。
【図４】図２のIV−IV線断面の一部を示す断面図である。
【図５】図４のV部を拡大して示す拡大図である。
【図６】一実施形態における反射対象領域及び表示隠れ領域を模式的に示す図である。
【図７】図６の一点鎖線による囲み箇所を示す図であって、表示の一例を示す図である。
【図８】図６の一点鎖線による囲み箇所を示す図であって、表示の一例を示す図である。
【図９】図８の表示における画像と反転像との関係を模式的に示す図である。
【図１０】図６の一点鎖線による囲み箇所を示す図であって、表示の一例を示す図である。
【図１１】図１０の表示における画像と反転像との関係を模式的に示す図である。
【図１２】図６の一点鎖線による囲み箇所を示す図であって、表示の一例を示す図である。
【図１３】図１２の表示における画像と反転像との関係を模式的に示す図である。
【図１４】変形例４のうち一例における図５に対応する図である。
【図１５】変形例４のうち一例における図５に対応する図である。
【図１６】変形例４のうち一例における図５に対応する図である。
【図１７】変形例４のうち一例における図５に対応する図である。
【図１８】図１７の反射面の一部をさらに拡大して示す図である。
【発明を実施するための形態】
【００１３】
以下、本発明の一実施形態を図面に基づいて説明する。
【００１４】
本発明の一実施形態による車両用表示装置１００は、車両１に搭載されている。具体的に、図１，２に示す車両用表示装置１００は、車両１のインストルメントパネル２において、車両１の左右方向ＤＨに並ぶ運転席４ａ及び助手席４ｂの間に対応しているセンタ部３に設置されている。車両用表示装置１００は、例えば、運転席４ａに着座する運転者、及び助手席４ｂに着座する乗員が位置する視認側に向けて、画像表示パネル３０を用いて、画像を表示することが可能となっている。車両１には、運転者の眼の位置の分布を統計的に表したアイレンジに基づいて、右眼及び左眼のそれぞれに対してアイリプスＥＬＰが設定されている（ＪＩＳＤ００２１：１９９８参照）。車両用表示装置１００は、このようなアイリプスＥＬＰ内に眼が位置する運転者、及び助手席４ｂ上の乗員が視認し易いように、表示を行なうようになっている。
【００１５】
なお、本実施形態における車両１の上下方向ＤＶとは、車両１が平地を走行するとき又は平地に停止するときの重力方向に沿った方向を示す。車両１の左右方向ＤＨとは、車両１の上下方向ＤＶに直交する方向であって、車両１の幅方向を示す。
【００１６】
また、車両用表示装置１００は、運転者及び助手席４ｂの乗員が操作者として、タッチ操作することが可能な、操作装置としても機能している。
【００１７】
このような車両用表示装置１００について、図３〜１３も用いて、以下に詳細に説明する。車両用表示装置１００は、図３に示すように、画像表示パネル３０、露出透光板４０、タッチ検出部５０、保持枠６０、透光媒質部７０、制御部２０を主に備えている。
【００１８】
画像表示パネル３０は、図３〜５に示すように、画像を表示する平板状の表示素子である。本実施形態では、画像表示パネル３０として、薄膜トランジスタ（Thin Film Transistor、ＴＦＴ）を用いた液晶パネルであって、２次元方向に配列された複数の表示画素により形成された表示面部３２を有するアクティブマトリクス型の液晶パネルが採用されている。
【００１９】
より詳細に、後述する反射面８０よりも内周側の表示面部３２は、視認側に表示面３２ａを有する矩形状を呈している。表示面部３２の内部には、一対の偏光板及び当該一対の偏光板に挟まれた液晶層等が積層されている。一対の偏光板はその偏光軸を互いに実質垂直となるように配置されている。液晶層では、表示画素毎の電圧印加により、印加電圧に応じて液晶層に入射する光の偏光方向を回転させることが可能となっている。こうして、表示画素毎に入射する光の透過率を制御することが可能となっている。
【００２０】
表示面部３２に対して、視認側の反対側である背面側には、バックライトが配置されており、バックライトから表示面部３２に入射した光が透過率を制御されることで、画像表示パネル３０の表示面部３２は、画像を実像表示するようになっている。ここで、画像の光は、表示面部３２の各画素から所定の分布で視認側の各方向に射出される。こうして、画像表示パネル３０に対して視認側の斜め方向にアイリプスＥＬＰが位置する運転者に対しても、画像を明るく実像表示できる。
【００２１】
また、画像表示パネル３０は、囲み枠部３４を有している。囲み枠部３４は、鉄ないしはアルミ等の金属板をプレス加工等により加工することで形成され、表示面部３２及びバックライトを外周側から囲んでいる。囲み枠部３４が表示面部３２を囲むことで、画像表示パネル３０のうち視認側を向く、すなわち後述する露出透光板４０と対向する表面では、内周側に表示面部３２が配置され、当該表示面部３２よりも外周側に、囲み枠部３４が表示面３２ａに対して視認側に突出して配置されている。
【００２２】
こうした矩形状の画像表示パネル３０は、長手方向を車両１の上下方向ＤＶに沿わせて、短手方向を車両１の左右方向ＤＨに沿わせて配置されている（図２参照）。
【００２３】
露出透光板４０は、図２〜５に示すように、例えばアクリル樹脂ないしはポリカーボネイト樹脂等により矩形状に形成された、透光性を有する透光板であり、本実施形態ではスモーク調の着色によりその透過率が７０〜８０％となっている。露出透光板４０の厚みは、各箇所において実質均一である。また、露出透光板４０の視認側表面には、傷を防止するハードコート層が形成され、また、露出透光板４０の外縁部は、黒色により遮光性を有するマスク印刷層が形成されている遮光縁部４２となっている。露出透光板４０は、装置において最も視認側に配置され、視認側に露出する曲面板状に形成されている。こうして露出透光板４０は、画像表示パネル３０からの画像の光を視認側に透過するようになっている。
【００２４】
こうした矩形状の露出透光板４０は、画像表示パネル３０と同様に、長手方向を車両１の上下方向ＤＶに沿わせて、短手方向を車両１の左右方向に沿わせて配置されている（図１参照）。ここで、画像表示パネル３０側（すなわち背面側）に凹む凹面状に形成されている。
【００２５】
タッチ検出部５０は、図３〜５に示すように、投影型静電容量式のタッチスイッチ５２を有しており、当該タッチスイッチ５２は、透光性のフィルム状に形成されている。タッチスイッチ５２は、光学用透明粘着シート（Optically Clear Adhesive、ＯＣＡ）を介して、露出透光板４０の背面側に接着されている。タッチ検出部５０は、タッチスイッチ５２により、露出透光板４０へのタッチ操作を検出する。詳細に、タッチ検出部５０は、露出透光板４０に操作者の指が接近又は接触すると、静電容量の変化を後述するタッチ回路２４にて検出することで、露出透光板４０における指の位置を特定することが可能となっている。
【００２６】
このような画像表示パネル３０と、露出透光板４０及びタッチ検出部５０との間には、平面状の画像表示パネル３０に対して、露出透光板４０が曲面板状に形成されることにより、図４に示すように内部領域ＡＲが形成されており、外周側には段差ＨＤが形成されている。
【００２７】
保持枠６０は、図２〜５に示すように、例えば黒色の合成樹脂により形成され、画像表示パネル３０の形状に合わせて中央に大きく開口した開口枠である。保持枠６０は、内部領域ＡＲを外周側から囲んでいることで開口している。これと共に保持枠６０の視認側端部６０ａは、遮光縁部４２を背面側から保持している。これにより、露出透光板４０と画像表示パネル３０との位置が固定されている。
【００２８】
ここで、画像表示パネル３０の表示面３２ａから視認側端部６０ａまでの保持枠６０の高さ寸法ＨＦは、露出透光板４０の曲面により生じる外周側の段差ＨＤに合わせて形成されることで、箇所によって異なるものとなっている。具体的に、露出透光板４０が車両１の上下方向ＤＶに曲がっていることで、中心部６０ｂから上下方向ＤＶにずれた箇所程、高さ寸法ＨＦが増大する。そして、上下方向ＤＶの端部において、高さ寸法ＨＦは最大となっている。また、高さ寸法ＨＦが極小となる中心部６０ｂにおいても、後述する透光媒質部７０の形成に応じて、所定以上の高さ寸法ＨＦが確保されており、画像表示パネル３０と露出透光板４０とは、直接接触せず互いに離れている。
【００２９】
透光媒質部７０は、図３〜５に示すように、保持枠６０に囲まれた内部領域ＡＲに形成され、画像表示パネル３０からの画像の光を透過するようになっている。透光媒質部７０は、対向壁７２、及び媒質充填層７４を有している。
【００３０】
対向壁７２は、例えばアクリル樹脂等により、透光性を有して形成された外縁壁である。対向壁７２は、画像表示パネル３０の表示面部３２の縁部と露出透光板４０の遮光縁部４２との間において、内部領域ＡＲのうち保持枠６０と対向する対向箇所に沿うことで、中央に大きく開口した矩形環状となっている。これと共に、対向壁７２は、表示面部３２の縁部、及び遮光縁部４２と接触状態で設けられることで、全周に亘って画像表示パネル３０と露出透光板４０との間を塞いでいる。対向壁７２は、表示面３２ａに対して実質垂直に延伸して設けられている。そして、保持枠６０と対向壁７２との間には全周に亘って隙間８８が設けられている。
【００３１】
媒質充填層７４は、内部領域ＡＲのうち対向壁７２よりも内周側に充填された透光性の媒質層である。媒質充填層７４には、透光性の媒質として、光学用透明樹脂（Optically Clear Resin、ＯＣＲ）が充填されており、例えばシリコン樹脂が採用されている。媒質充填層７４は、画像表示パネル３０、露出透光板４０、対向壁７２に囲まれた内部領域ＡＲに実質隙間のない状態で、固体状態で充填されていることで、画像表示パネル３０側、露出透光板４０側、及び対向壁７２とそれぞれ接触界面７４ａ，７４ｂ，７４ｃを形成している。
【００３２】
透光媒質部７０は、対向箇所を含んで形成された対向壁７２において、図５に拡大して示す反射部としての反射面８０を設けている。具体的に反射面８０は、対向壁７２における隙間８８との界面として、設けられている。
【００３３】
反射面８０は、表示面３２ａと接線方向が交差するように設けられている。具体的に、対向壁７２が表示面３２ａに対して実質垂直に延伸していることにより、反射面８０の接線方向も、当該表示面３２ａに対して実質垂直となっている。また前述の対向壁７２の配置により、反射面８０は、囲み枠部３４よりも内周側の表示面部３２の縁部に沿って、表示面３２ａと接触して配置されている。
【００３４】
こうした反射面８０は、内部領域ＡＲのうち、表示面部３２の縁部と遮光縁部４２との間に配置された状態で、画像表示パネル３０からの画像の光を鏡面反射するようになっている。この鏡面反射により、反射面８０は、表示面部３２外に反転像Ｉｒｖを表示することが可能となっている。
【００３５】
以下に、反転像Ｉｒｖについて詳細に説明する。図４に示すように、反転像Ｉｒｖは、表示面部３２の表示面３２ａに表示された画像が反射面８０に反射されることで、当該画像を反転した虚像として表示されるものである。ここで、本実施形態の反射面８０の面積は、表示面３２ａの面積に対して小さいものであるため、より詳細には、反転像Ｉｒｖは、表示面３２ａのうち、反射対象領域Ａｒｖに表示された画像を反転して虚像表示されるものである。
【００３６】
ここで図６に示す反射対象領域Ａｒｖは、アイレンジと車両用表示装置１００の搭載位置に基づいて算出することができる。一例として、アイレンジに基づいて設定されたアイリプスＥＬＰに外接する接線であって、反射面８０の視認側端部８０ａを通る接線（図１の２点鎖線参照）をそれぞれ算出する。そして、表示面３２ａから射出される光線のうち、反射面８０の反射後に接線を通る光線を算出する。光線の算出は、例えば光線追跡法ないしはこれを代用する簡易的な方法により行なうことができる。こうして算出された光線の表示面３２ａにおける射出点は、表示面３２ａにおける反射対象領域Ａｒｖ内と反射対象領域Ａｒｖ外との境界として推定される。
【００３７】
例えば本実施形態では、車両１の左右方向ＤＨの一方では、対応する反射面８０の視認側端部８０ａから、反射面８０の法線方向に対して４０〜５０°程度の角度で表示面３２ａに向かう直線と表示面３２ａとの交点が、表示面３２ａにおける反射対象領域Ａｒｖ内と反射対象領域Ａｒｖ外との境界となっている。こうして、表示面３２ａのうち反射対象領域Ａｒｖからの光が反射面８０に反射して、アイリプスＥＬＰ内に到達し得る。また、反射面８０は、表示面３２ａと接触していることにより、反射対象領域Ａｒｖと隣接している。
【００３８】
制御部２０は、特に図３に示すように、回路基板２２上に実装されたタッチ回路２４及びメイン回路２６を有している。タッチ回路２４は、ＣＰＵ及びメモリ等からなり、電気的に接続されたタッチ検出部５０を制御する制御回路である。タッチ回路２４は、タッチ検出部５０から入力された検出信号を処理し、電気的に接続されたメイン回路２６に出力する。メイン回路２６は、ＣＰＵ及びメモリ等からなり、電気的に接続された画像表示パネル３０を制御する制御回路である。メイン回路２６は、通信可能となっている車両１の各種機器からの入力信号や、タッチ検出部５０からの検出信号に基づいて、画像表示信号を出力することで、画像表示パネル３０の表示内容を制御する。
【００３９】
なお、回路基板２２は、背面側ハウジング１０と共に、ネジ１２及びスペーサ１４により、画像表示パネル３０の背面側に締結されている。
【００４０】
次に、制御部２０により制御されて表示面部３２に実像表示される画像について、具体的に説明する。本装置１００において、表示面部３２に実像表示される画像は、情報表示画像Ｉｉを含むものである。情報表示画像Ｉｉとしては、車両１又は画像表示パネル３０の操作に供される操作用画像Ｉｉ１、情報を表した文字Ｉｉ２、地図Ｉｉ３、及びテレビ映像等が挙げられる。
【００４１】
操作用画像Ｉｉ１としては、例えば車室内の空調設定の操作に用いるボタン画像、ナビゲーション機能を使用するためのボタン画像、及びオーディオ機能を使用するためのボタン画像等が挙げられる。これら操作用画像Ｉｉ１に操作者がタッチ操作すると、タッチ検出部５０が当該操作用画像Ｉｉ１に対するタッチ操作を検出して、操作用画像Ｉｉ１に応じて車両１の各種機器の設定が変更されたり、表示面部３２に表示される画像が変化するようになっている。
【００４２】
文字Ｉｉ２としては、空調設定状態を表す文字、オーディオ設定状態を表す文字、車速及び燃費等の車両１の状態を表す文字、交通情報等の車外の状態を表す文字、及び電子メールの文字等が挙げられる。
【００４３】
なお、例示した各情報表示画像Ｉｉは、常時表示されるものであってもよく、タッチ操作等に応じて一時的に表示されるものであってもよい。
【００４４】
また情報表示画像Ｉｉに該当しない画像としては、各種背景画像Ｉｂ１，Ｉｂ２，Ｉｂ３，Ｉｂ４が挙げられる。背景画像Ｉｂ１，Ｉｂ２，Ｉｂ３，Ｉｂ４は、情報表示画像に対する背景として表示されるものである。
【００４５】
図７に表示の一例を示す。方向依存性を制限された無地の背景画像Ｉｂ１が、反射対象領域Ａｒｖ内及び反射対象領域Ａｒｖ外の両方に実像表示されている。加えて、操作用画像Ｉｉ１としての空調設定に用いる“ＡＵＴＯ”ボタン画像、及び情報を表す“７５”の文字Ｉｉ２が反射対象領域Ａｒｖ外に実像表示されている。
【００４６】
したがって、表示面３２ａのうち、反射対象領域Ａｒｖ外には、情報表示画像Ｉｉ及び背景画像Ｉｂ１が実像表示され、反射対象領域Ａｒｖ内には、背景画像Ｉｂ１のみが実像表示されている。そして、表示面部３２の縁部に沿った反射面８０により、表示面部３２外に、反射対象領域Ａｒｖ内の背景画像Ｉｂ１を反転した反転像Ｉｒｖが虚像表示されている。したがって、反転像Ｉｒｖには、無地の背景画像Ｉｂ１が映り込んでいるだけで、情報表示画像Ｉｉは映り込んでいない。
【００４７】
なお、この例では、情報表示画像Ｉｉの表示位置について、表示面３２ａのうち露出透光板４０の遮光縁部４２によって表示が隠れる表示隠れ領域Ａｄｈも考慮されている。具体的に、情報表示画像Ｉｉは、反射対象領域Ａｒｖ外かつ当該表示隠れ領域Ａｄｈ外に実像表示されているため、運転者及び助手席４ｂ上の乗員の両方が情報表示画像Ｉｉを直接視認できるようになっている。
【００４８】
図８に表示の他の一例を示す。方向依存性を制限された布地模様の背景画像Ｉｂ２が、反射対象領域Ａｒｖ内及び反射対象領域Ａｒｖ外の両方に実像表示されている。加えて、操作用画像Ｉｉ１としての空調設定に用いる“ＡＵＴＯ”ボタン画像、及び情報を表す“７５”の文字Ｉｉ２が反射対象領域Ａｒｖ外に実像表示されている。
【００４９】
したがって、図９に示すように、表示面３２ａのうち、反射対象領域Ａｒｖ外には、情報表示画像Ｉｉ及び背景画像Ｉｂ２が実像表示され、反射対象領域Ａｒｖ内には、背景画像Ｉｂ２のみが実像表示されている。そして、表示面部３２の縁部に沿った反射面８０により、表示面部３２外に、反射対象領域Ａｒｖ内の背景画像Ｉｂ２を反転した反転像Ｉｒｖが虚像表示されている。したがって、反転像Ｉｒｖには、布地模様の背景画像Ｉｂ２が映り込んでいるだけで、情報表示画像Ｉｉは映り込んでいない。なお、この例でも、前述の例と同様に表示隠れ領域Ａｄｈが考慮されている。
【００５０】
またなお、本実施形態において、前述の方向依存性を制限された背景画像Ｉｂ１，Ｉｂ２とは、例えば上下左右を回転した場合であっても、回転前の画像と実質的に同一視可能な背景画像を示す。
【００５１】
図１０に表示の他の一例を示す。縞模様の背景画像Ｉｂ３が、反射対象領域Ａｒｖ内及び反射対象領域Ａｒｖ外の両方に実像表示されている。当該背景画像Ｉｂ３における縞模様の輪郭線ＯＬは、反射面８０との境界部８２において、当該境界部８２の延伸方向ＤＥと垂直に交わっている。加えて、操作用画像Ｉｉ１としての空調設定に用いる“ＡＵＴＯ”ボタン画像、及び情報を表す“７５”の文字Ｉｉ２が反射対象領域Ａｒｖ外に実像表示されている。なお、図１０では、輪郭線ＯＬのうち一部にのみ符号が付されている。
【００５２】
したがって、図１１に示すように、表示面３２ａのうち、反射対象領域Ａｒｖ外には、情報表示画像Ｉｉ及び背景画像Ｉｂ３が実像表示され、反射対象領域Ａｒｖ内には、背景画像Ｉｂ３のみが実像表示されている。そして、表示面部３２の縁部に沿った反射面８０により、表示面部３２外に、反射対象領域Ａｒｖ内の背景画像Ｉｂ３を反転した反転像Ｉｒｖが虚像表示されている。したがって、反転像Ｉｒｖには、縞模様の背景画像Ｉｂ３が映り込んでいるだけで、情報表示画像Ｉｉは映り込んでいない。なお、この例でも、前述の例と同様に表示隠れ領域Ａｄｈが考慮されている。
【００５３】
図１２に表示の他の一例を示す。反射対象領域Ａｒｖ外の一部に、情報表示画像Ｉｉとして地図Ｉｉ３が実像表示されている。一方、反射対象領域Ａｒｖ内には、背景画像として、ぼかし画像Ｉｂ４が実像表示されている。ぼかし画像Ｉｂ４は、情報表示画像Ｉｉである地図を、ぼかし処理することで作成されている。ここで本実施形態におけるぼかし処理とは、元の画像の輪郭線等をぼかすことで元の表示内容が判別され難くする処理である。これにより、ぼかし画像Ｉｂ４は、すりガラスを通したように視認され、元の地図Ｉｉ３の情報を判別することは極めて困難となっている。
【００５４】
さらに、表示面３２ａのうち反射対象領域Ａｒｖ外において、反射対象領域Ａｒｖと隣接する箇所には、ぼかし画像Ｉｂ４及び情報表示画像Ｉｉとしての地図Ｉｉ３に連続して、補間画像Ｉｉｐが実像表示されている。補間画像Ｉｉｐは、情報表示画像Ｉｉである地図Ｉｉ３をぼかし処理することで作成される画像である。反射対象領域Ａｒｖに近づく程、ぼかし画像Ｉｂ４におけるぼかし度に近づくように、補間画像Ｉｉｐのぼかし度は、グラデーション状に漸次増大している。ここで本実施形態におけるぼかし度とは、ぼかし処理におけるぼかし効果の度合いであって、ぼかし度が大きくなる程、元の画像の輪郭線がより大きくぼけるものとする。
【００５５】
本実施形態では、補間画像Ｉｉｐとぼかし画像Ｉｂ４との境界において、補間画像Ｉｉｐのぼかし度がぼかし画像Ｉｂ４のそれと実質一致するため、元の地図Ｉｉ３の情報を判別することは困難である。一方、補間画像Ｉｉｐと地図Ｉｉ３との境界においては、ぼかし度が極めて低くなっているため、元の地図Ｉｉ３の情報を判別することは容易となっている。
【００５６】
したがって、図１３に示すように、表示面３２ａのうち、反射対象領域Ａｒｖ外には、情報表示画像Ｉｉとしての地図Ｉｉ３及び補間画像Ｉｉｐが実像表示され、反射対象領域Ａｒｖ内には、背景画像としてのぼかし画像Ｉｂ４のみが実像表示されている。そして、表示面部３２の縁部に沿った反射面８０により、表示面部３２外に、反射対象領域Ａｒｖ内のぼかし画像Ｉｂ４を反転した反転像Ｉｒｖが虚像表示されている。したがって、反転像Ｉｒｖには、背景画像としてのぼかし画像Ｉｂ４が映り込んでいるだけで、情報表示画像Ｉｉとしての地図Ｉｉ３及び補間画像Ｉｉｐは映り込んでいない。
【００５７】
なお、図１２において、ぼかし画像Ｉｂ４の表示範囲を斜め線が交差するハッチング、補間画像Ｉｉｐの表示範囲が一方向のみの斜め線のハッチングでそれぞれ示されている。また図１２において、各ハッチングの下には地図の絵が示されているが、実際には上述のぼかし度に応じたぼかし処理が施されている。また、図１３において、反転像Ｉｒｖにも斜め線が交差するハッチングが施されているが、これは、反転像Ｉｒｖもぼかし画像Ｉｂ４と同様にぼかされた状態であることを示す表現である。
【００５８】
（作用効果）
以上説明した本実施形態の作用効果を以下に説明する。
【００５９】
本実施形態によると、車両１に搭載される車両用表示装置１００において、画像表示パネル３０の表示面部３２は、画像を実像表示する。さらに、反射面８０が表示面部３２の縁部に配置されている。この反射面８０が表示面部３２のうち反射対象領域Ａｒｖからの光を反射する。これにより、反転像Ｉｒｖが表示面部３２外に虚像表示されるので、表示に拡がり感を出すことができる。
【００６０】
ここで、画像のうち情報表示画像Ｉｉは、表示面部３２のうち反射対象領域Ａｒｖ外に表示されるので、反射面８０が反射対象領域Ａｒｖからの光を反射しても、当該情報表示画像Ｉｉの反転像Ｉｒｖへの映り込みは抑制される。したがって、視認者が当該反転像Ｉｒｖに惑わされることが回避されることで、表示内容の視認性が良好となり、情報が正確に理解され易くなる。
【００６１】
また、本実施形態によると、視認側に露出する曲面状に形成され、画像を透過させる露出透光板４０を備え、反射面８０は、画像表示パネル３０と露出透光板４０との間において配置される。こうすることで、画像表示パネル３０と露出透光板４０との間に、露出透光板４０の曲面に応じた内部領域ＡＲが形成された場合であっても、表示面部３２の縁部に沿って配置された反射面８０が反転像Ｉｒｖを表示するので、領域ＡＲ外周の画像表示パネル３０と露出透光板４０との段差の確認が困難となる。すなわち、露出透光板４０の背面側にある画像表示パネル３０の存在が認識され難くなる。したがって、露出透光板４０の曲面感が十分に発揮されることで、装置１００の見栄えを良くしつつ、視認性が良好となる。
【００６２】
また、本実施形態によると、情報表示画像Ｉｉは、車両１又は画像表示パネル３０の操作に供される操作用画像Ｉｉ１を含む。仮に操作用画像Ｉｉ１が反転像Ｉｒｖに映り込んでしまうと、視認性が悪化するだけでなく、円滑な操作に支障を来してしまう。しかしながら、情報表示画像Ｉｉが反射対象領域Ａｒｖ外に表示されるので、反射面８０が反射対象領域Ａｒｖからの光を反射しても、操作用画像Ｉｉ１の反転像Ｉｒｖへの映り込みが抑制されて、視認性が良好となり、円滑な操作が可能となる。
【００６３】
また、本実施形態によると、操作用画像Ｉｉ１に対するタッチ操作を検出するタッチ検出部５０を備える。このような装置１００において、仮に操作用画像Ｉｉ１が反転像Ｉｒｖに映り込んでしまうと、操作者が反転したボタン画像により惑わされて、反転像Ｉｒｖに対してタッチ操作をしてしまう恐れがある。しかし、情報表示画像Ｉｉが反射対象領域外に表示される本実施形態では、反射面８０が反射対象領域Ａｒｖからの光を反射しても、操作用画像Ｉｉ１の反転像Ｉｒｖへの映り込みが抑制されて、視認性が高まる。そして、操作者は、タッチ操作の位置を間違えずに済む。
【００６４】
また、本実施形態によると、情報表示画像Ｉｉは、文字Ｉｉ２を含む。仮に文字Ｉｉ２が反転像Ｉｒｖに映り込んでしまうと、反転した文字が表示されて判読が困難となり、視認性が悪化する。しかし、情報表示画像Ｉｉが反射対象領域Ａｒｖ外に表示される本実施形態では、反射面８０が反射対象領域Ａｒｖからの光を反射しても、当該文字Ｉｉ２の反転像Ｉｒｖへの映り込みが抑制されて、当該文字Ｉｉ２の判読性の悪化が抑制され、視認性が良好となる。
【００６５】
また、本実施形態によると、情報表示画像Ｉｉは、地図Ｉｉ３を含む。仮に地図Ｉｉ３が反転像Ｉｒｖに映り込んでしまうと、視認者が、例えば実像表示された道から反転して虚像表示された道が続くものと誤解したりしてしまう。しかし、情報表示画像Ｉｉが反射対象領域Ａｒｖ外に表示される本実施形態では、反射面８０が反射対象領域Ａｒｖからの光を反射しても、当該地図Ｉｉ３の反転像Ｉｒｖへの映り込みが抑制されて、視認性が良好となり、地図Ｉｉ３を正確に把握することができる。
【００６６】
また、本実施形態によると、反射対象領域Ａｒｖ内には、情報表示画像Ｉｉに対する背景として表示される背景画像Ｉｂ１，Ｉｂ２，Ｉｂ３，Ｉｂ４が実像表示される。こうすることで、反射面８０が反射対象領域Ａｒｖからの光を反射しても、背景画像Ｉｂ１，Ｉｂ２，Ｉｂ３，Ｉｂ４が反転されて反転像Ｉｒｖに映り込むので、視認者が情報表示の反転に惑わされることが抑制され、視認性が良好となる。
【００６７】
また、本実施形態によると、反射対象領域Ａｒｖ内には、背景画像として、情報表示画像をぼかし処理することで作成されたぼかし画像Ｉｂ４が表示される。ぼかし画像Ｉｂ４が反転像Ｉｒｖに映り込んでも、内容をはっきりと視認できないため惑わされ難いので、視認性が良好となる。さらに、情報表示画像Ｉｉが反転像Ｉｒｖにも表示されているような印象を与えることができ、表示の拡がり感が高まる。
【００６８】
また、本実施形態によると、表示面部３２のうち反射対象領域Ａｒｖと隣接する箇所には、当該反射対象領域Ａｒｖに近づく程、ぼかし画像Ｉｂ４におけるぼかし度に近づくように、ぼかし度が増大する補間画像Ｉｉｐが表示される。このような補間画像Ｉｉｐにより、例えば情報表示画像Ｉｉとして地図Ｉｉ３が採用されている場合では、反射対象領域Ａｒｖに差し掛かったところで道が行き止まりになっている等の誤認が抑制されて、視認性が良好となる。さらに、情報表示画像Ｉｉから反射対象領域Ａｒｖを経て反転像Ｉｒｖに至るまでの表示に連続性を付与することができ、当該表示の拡がり感が高まる。
【００６９】
また、本実施形態によると、反射面８０は、反射対象領域Ａｒｖと隣接して配置され、背景画像Ｉｂ３における輪郭線ＯＬは、反射面８０との境界部８２において、境界部８２の延伸方向ＤＥと垂直に交わっている。そうすると、背景画像Ｉｂ３における輪郭線ＯＬと、反転像Ｉｒｖにて反転された輪郭線とが折れ曲がることなく繋がるので、反射対象領域Ａｒｖと反転像Ｉｒｖとの表示に連続性が生じ、当該表示の拡がり感が高まる。
【００７０】
また、本実施形態によると、反射面８０は、反射対象領域Ａｒｖと隣接して配置され、背景画像Ｉｂ１，Ｉｂ２は方向依存性を制限されたものである。方向依存性を制限された背景画像Ｉｂ１，Ｉｂ２と、当該背景画像Ｉｂ１，Ｉｂ２の反転像Ｉｒｖが互いに隣接して視認されても、背景画像Ｉｂ１，Ｉｂ２が反転していることが認識され難いので、反射対象領域Ａｒｖと反転像Ｉｒｖとの表示に連続性が生じ、当該表示の拡がり感が高まる。
【００７１】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００７２】
具体的に、変形例１としては、反射対象領域Ａｒｖとして、アイリプスＥＬＰに外接する接線に代えて、左右のアイレンジの中間箇所を通る光線によって算出された領域が採用がされていてもよい。また、反射対象領域Ａｒｖとして、実験的又は経験的に得られた領域が採用されてもよい。
【００７３】
変形例２としては、情報表示画像Ｉｉは、表示面３２ａのうち反射対象領域Ａｒｖ外であれば、表示隠れ領域Ａｄｈ内に実像表示されるものであってもよい。
【００７４】
変形例３としては、背景画像としてのぼかし画像Ｉｂ４は、元の地図Ｉｉ３の情報を判別することが困難となっていれば、ぼかし度がグラデーション状に変化する箇所を含んでいてもよい。また、ぼかし画像Ｉｂ４が反射対象領域Ａｒｖ外に及んでいてもよい。
【００７５】
変形例４としては、反射部は、種々の形態を採用可能である。
【００７６】
詳細に、変形例４のうち一例として図１４では、対向壁７２の代わりに媒質充填層７４が、内部領域ＡＲにおいて、保持枠６０と対向する対向箇所を含んで設けられている。そして、図１４の反射面８０は、媒質充填層７４における隙間８８との界面として、平滑性を有して形成されている。
【００７７】
変形例４のうち他の一例として図１５では、対向壁７２及び媒質充填層７４の代わりに介挿透光板９７６が、内部領域ＡＲにおいて、画像表示パネル３０と露出透光板４０との間に介挿されている。図１５の反射面８０は、介挿透光板９７６の側端部９７６ａに、隙間８８との界面として平滑性を有して設けられている。
【００７８】
変形例４のうち他の一例として図１６では、反射面８０は、例えば金属膜ないしは光学多層膜等の反射膜９７２ａが対向壁７２の内周側表面に形成されることにより、設けられている。
【００７９】
変形例４のうち他の一例として図１７では、反射面８０は、図１８に拡大して示す傾斜反射部９８１ａ及び逆傾斜部９８１ｂをそれぞれ複数有しており、当該傾斜反射部９８１ａと逆傾斜部９８１ｂとが交互に配列される交互配列構造を形成している。各傾斜反射部９８１ａは、表示面３２ａの接線方向と鋭角をなすことで、背面側を向いて傾斜して配置される平面状となっている。傾斜反射部９８１ａは、平滑性を有していることで、画像の光を鏡面反射するようになっている。各逆傾斜部９８１ｂは、各傾斜反射部９８１ａ間に配置され、表示面３２ａの接線方向と鈍角をなすことで、視認側を向いて傾斜している。このような傾斜反射部９８１ａにより、反射対象領域Ａｒｖを狭めることができる。したがって、表示内容の視認性を良好にしつつ、情報表示画像Ｉｉの表示の自由度を高めることができる。
【符号の説明】
【００８０】
１００  車両用表示装置、１  車両、３０  画像表示パネル、３２  表示面部、４０  露出透光板、５０  タッチ検出部、８０  反射面、８２  境界部、Ａｒｖ  反射対象領域、Ｉｉ  情報表示画像、Ｉｉ１  操作用画像、Ｉｉ２  文字、Ｉｉ３  地図、Ｉｂ１，Ｉｂ２，Ｉｂ３，Ｉｂ４  背景画像、Ｉｉｐ  補間画像、ＯＬ  輪郭線、ＤＥ  延伸方向
【図１】
0006409715.tif 000002
【図２】
0006409715.tif 000003
【図３】
0006409715.tif 000004
【図４】
0006409715.tif 000005
【図５】
0006409715.tif 000006
【図６】
0006409715.tif 000007
【図７】
0006409715.tif 000008
【図８】
0006409715.tif 000009
【図９】
0006409715.tif 000010
【図１０】
0006409715.tif 000011
【図１１】
0006409715.tif 000012
【図１２】
0006409715.tif 000013
【図１３】
0006409715.tif 000014
【図１４】
0006409715.tif 000015
【図１５】
0006409715.tif 000016
【図１６】
0006409715.tif 000017
【図１７】
0006409715.tif 000018
【図１８】
0006409715.tif 000019